(57)【要約】【課題】飛沫物による影響を抑止して衛生と安全に貢献することができる便利な多様式蛇口を提供する。【解決手段】多様式蛇口１は、Ｌ字状の給水管２と、この給水管２に連接された第一吐水管７と、この第一吐水管７よりも前方において給水管２に連接された第二吐水管１３と、第一吐水管７において当該第一吐水管７を開閉する第一バルブ１０と、第二吐水管１３において当該第二吐水管１３を開閉する第二バルブ１８とを有し、既設の止水栓に取り付け、第一バルブ１０，第二バルブ１８を操作することで、流路を上方又は下方に分流させることができるものである。【選択図】  図１
0003230903.tif 000002
【実用新案登録請求の範囲】
【請求項１】
給水管に連接されると共に吐水口が下方に向けられた第一吐水管と、
前記給水管に連接されると共に吐水口が上方に向けられた第二吐水管と、
前記第一吐水管において当該第一吐水管を開閉する第一バルブと、
前記第二吐水管において当該第二吐水管を開閉する第二バルブと、を有する、
ことを特徴とする多様式蛇口。
【請求項２】
前記第二吐水管の吐水口が側方に向けて二つ並列した、
ことを特徴とする請求項１に記載された多様式蛇口。
【請求項３】
前記給水管が、既設の止水栓に着脱される着脱部を有する、
ことを特徴とする請求項１又は請求項２に記載された多様式蛇口。
【請求項４】
前記第一バルブが、
板状に形成され、前記第一吐水管と直交する方向にスライドすることで前記第一吐水管を開閉する第一バルブ本体部と、
前記第一吐水管の外側において前記第一バルブ本体部の端部に連接された第一バルブ操作部と、を有し、
前記第二バルブが、
板状に形成され、前記第二吐水管と直交する方向を回転軸として前記第二吐水管内で回転することで前記第二吐水管を開閉する第二バルブ本体部と、
前記第二吐水管の外側において前記回転軸の端部に連接された第二バルブ操作部と、を有する、
ことを特徴とする請求項１から請求項３のいずれか１項に記載された多様式蛇口。
【考案の詳細な説明】
【技術分野】
【０００１】
本考案は、多様式蛇口に関するものである。
【背景技術】
【０００２】
従来、例えば、花粉、埃、ウイルス等（以下、「飛沫物」と記す。）のアレルギー症や感染症を予防するために、マスクが用いられている。特に近年では、インフルエンザウイルス等の他、新型コロナウイルスによる感染症が蔓延していることから、マスクの他にも様々な予防策が講じられている。予防策として、例えば、顔面のすべてを覆うことができる大きさの透明のフェイスシールドや、除菌のためのアルコール等がある。
【０００３】
もっとも、花粉等による影響を抑止するためには、手洗い、うがい、眼・鼻の洗浄が重要である。洗浄には、水道水が用いられるのが一般的であり、水道水を供給するための技術として、例えば、下記特許文献１に記載された水道蛇口構造（以下、「文献公知１発明」と記す。）がある。文献公知１発明は、蛇口部分と、バルブを開閉するハンドル部分とを有している。
【先行技術文献】
【特許文献】
【０００４】
【特許文献１】特開２０２０−３３６９１号公報
【考案の概要】
【考案が解決しようとする課題】
【０００５】
しかし、文献公知１発明を含めて、従来の止水栓は、吐水口が下に向けられているため、うがいや眼の洗浄においては、手や容器に水を溜めて口や眼に水を運ぶ必要があり、不便である。
【０００６】
本考案は、この様な実情に鑑みて提案されたものであり、飛沫物による影響を抑止して衛生と安全に貢献することができる便利な多様式蛇口の提供を目的とする。
【課題を解決するための手段】
【０００７】
上記目的を達成するために、本考案に係る多様式蛇口は、給水管に連接されると共に吐水口が下方に向けられた第一吐水管と、前記給水管に連接されると共に吐水口が上方に向けられた第二吐水管と、前記第一吐水管において当該第一吐水管を開閉する第一バルブと、前記第二吐水管において当該第二吐水管を開閉する第二バルブと、を有することを特徴とする。
【０００８】
本考案に係る多様式蛇口は、前記第二吐水管の吐水口が側方に向けて二つ並列した、ことを特徴とする。
【０００９】
本考案に係る多様式蛇口は、前記給水管が、既設の止水栓に着脱される着脱部を有することを特徴とする。
【００１０】
本考案に係る多様式蛇口は、前記第一バルブが、板状に形成され、前記第一吐水管と直交する方向にスライドすることで前記第一吐水管を開閉する第一バルブ本体部と、前記第一吐水管の外側において前記第一バルブ本体部の端部に連接された第一バルブ操作部と、を有し、前記第二バルブが、板状に形成され、前記第二吐水管と直交する方向を回転軸として前記第二吐水管内で回転することで前記第二吐水管を開閉する第二バルブ本体部と、前記第二吐水管の外側において前記回転軸の端部に連接された第二バルブ操作部と、を有する、ことを特徴とする。
【考案の効果】
【００１１】
本考案に係る多様式蛇口は、給水管に連接されると共に吐水口が下方に向けられた第一吐水管と、給水管に連接されると共に吐水口が上方に向けられた第二吐水管と、第一吐水管において当該第一吐水管を開閉する第一バルブと、第二吐水管において当該第二吐水管を開閉する第二バルブとを有している。この構成により、第一吐水管を経た水は、下方に向けて吐出されるため、利用者が手等を洗う際に使用できる。一方、第二吐水管を経た水は、上方に吐出されるため、利用者が眼を洗浄する際や、うがいをするために水を口に含む際に使用できる。利用者が、第一吐水管を利用する場合は、第一バルブで第一吐水管を開放すると共に第二バルブで第二吐水管を閉塞することで、下方にのみ吐水することができ、また、第二吐水管を利用する場合は、第二バルブで第二吐水管を開放すると共に第一バルブで第一吐水管を閉塞することで上方にのみ吐水することができる。
【００１２】
利用者は、手洗い、眼や鼻の洗浄、うがい、口の濯ぎ等（以下、「手洗い等」と記す。）に適した吐水方向を選択して手洗い等をすることができる。したがって、本考案に係る多様式蛇口は、飛沫物による影響を抑止して、利用者の衛生と安全に貢献することができる。
【００１３】
本考案に係る多様式蛇口では、第二吐水管の吐水口が側方に向けて二つ並列している。すなわち、第二吐水管の吐水口は二つあり、側方に向けて並列しているため、利用者は両眼を同時に洗浄することができる。
【００１４】
本考案に係る多様式蛇口は、給水管が、既設の止水栓に着脱される着脱部を有している。すなわち、着脱部が、既設の止水栓に取り付けられることで、既存の様々な止水栓を利用して本考案を実現することができる。
【００１５】
本考案に係る多様式蛇口は、第一バルブが、板状に形成され、第一吐水管と直交する方向にスライドすることで第一吐水管を開閉する第一バルブ本体部と、第一吐水管の外側において第一バルブ本体部の端部に連接された第一バルブ操作部とを有し、第二バルブが、板状に形成され、第二吐水管と直交する方向を回転軸として第二吐水管内で回転することで第二吐水管を開閉する第二バルブ本体部と、第二吐水管の外側において回転軸の端部に連接された第二バルブ操作部とを有している。この構成により、利用者が、手動で第一バルブ操作部を操作して第一バルブ本体部をスライドさせることで、第一吐水管が開閉し、一方で、利用者が、第二バルブ操作部を操作して第二バルブ本体部を回転させることで、第二吐水管が開閉する。したがって、利用者は、簡便な操作で、手洗い等に適した吐水方向を選択して、手洗い等をすることができる。また、各バルブの構成が異なっていることから、バルブ毎に操作の仕方が異なる。したがって、バルブ毎の操作が同じである場合と比較して、誤操作を防ぐことができる。すなわち、第一吐水管を開閉させようとして、第二バルブ操作部を操作することや、第二吐水管を開閉させようとして、第一バルブ操作部を操作することが抑止される。
【図面の簡単な説明】
【００１６】
【図１】本考案の実施形態に係る多様式蛇口を側方から視た側面図である。
【図２】本考案の実施形態に係る多様式蛇口を上方から視た平面図である。
【図３】本考案の実施形態に係る多様式蛇口を前方から視た正面図である。
【図４】本考案の実施形態に係る多様式蛇口における各バルブの作用を説明する概略断面図である。
【図５】本考案の実施形態に係る多様式蛇口における各バルブの作用を説明する概略断面図である。
【考案を実施するための形態】
【００１７】
以下に、本考案の実施形態に係る多様式蛇口を図面に基づいて説明する。図１ないし３は、本実施形態に係る多様式蛇口１の外観が示されている。
【００１８】
図１に示されているとおり、多様式蛇口１は、下流側において上下の二方向に吐水管を有し、既設の止水栓（図示省略。）に着脱することで、流路を上方又は下方に分流させることができるものである。なお、以下では、鉛直方向を上方及び下方（Ｕｐ、Ｄｏｗｎ）とし、多様式蛇口１の正面に立った利用者（図示省略。）から視して、手前方向を前方（Ｆｒｏｎｔ）とし、奥行方向（Ｂａｃｋ）を後方とし、左右方向を左側方及び右側方（Ｌｅｆｔ Ｓｉｄｅ、Ｒｉｇｈｔ Ｓｉｄｅ）とする（図１から図３参照。）。
【００１９】
図１から図３に示されているとおり、多様式蛇口１は、Ｌ字状の給水管２と、この給水管２に連接された第一吐水管７と、この第一吐水管７よりも前方において給水管２に連接された第二吐水管１３と、第一吐水管７において当該第一吐水管７を開閉する第一バルブ１０と、第二吐水管１３において当該第二吐水管１３を開閉する第二バルブ１８とを有している。第一バルブ１０と第二バルブ１８は、手動で操作される開閉弁である。
【００２０】
給水管２は、前後に長手であると共に上流側において直角に折れ曲がって上方に向けて突出している。給水管２における上流側には、既設の止水栓に着脱される着脱部３が形成されている。着脱部３は、漏斗状の漏斗管４と、この漏斗管４の上端部分に形成された調節手段５とを有している。調節手段５は、環状であると共に、留め具としてのネジ６が、四方から中心に向けられ配置されている。対向するネジ６同士の締め付けにより、様々な口径の止水栓に取り付けることができる。
【００２１】
第一吐水管７は、給水管２から下方に向けて突出し、吐水口である第一吐水口８が下方に向けられている。第一吐水管７の上端部分であって、第一吐水管７と給水管２との連接箇所には、右側方にスリット９が形成され（図２）、このスリット９に第一バルブ１０が取り付けられている。第一バルブ１０はＬ字状であって、第一バルブ本体部１１と、第一バルブ操作部１２とを有している。第一バルブ本体部１１は、板状に形成され、スリット９に挿入されて第一吐水管７の内側に至っている。第一バルブ操作部１２は、第一バルブ本体部１１の右端において第一バルブ本体部１１に対して直角に連接されている。第一バルブ操作部１２は、第一吐水管７の外側に露出している。この構成により、第一バルブ１０は、第一吐水管７と直交する方向である左右方向にスライドすることが可能であり、スライドすることによって第一吐水管７が開閉する。
【００２２】
第二吐水管１３は、給水管２の前端部分から前方に向けて伸びた第二吐水管本体部１４と、この第二吐水管本体部１４から直角に折れ曲がって上方に向けて突出した第二吐水管分流部１５とを有している。第二吐水管分流部１５は、左右一対で構成され、Ｙ字状又はＵ字状である。それぞれの第二吐水管分流部１５の上端部分には、吐水口である第二吐水口１６が形成され、この第二吐水口１６は上方に向けて形成されている。第二吐水管分流部１５は、利用者の両眼の間隔と同程度に離れ、第二吐水口１６は、左右に向けて並列している。各第二吐水口１６の先端には、円盤状の噴霧盤１６Ａが設けられている。
第二吐水管本体部１４の後端部分であって、第二吐水管本体部１４と給水管２との連接箇所には、右側方に孔１７が形成され（図２）、第二バルブ１８が取り付けられている。
【００２３】
第二バルブ１８は、第二バルブ本体部１９と、第二バルブ操作部２０とを有している。第二バルブ本体部１９は、円板状に形成され、片方の面に、回転軸２１が固定されている。第二バルブ本体部１９は、第二吐水管本体部１４の内側に配置され、回転軸２１は、孔１７に通されて給水管２と直交する方向に配置されている。第二バルブ操作部２０は、回転軸２１の右端において回転軸２１と直交して連接されている。第二バルブ操作部２０は、第二吐水管１３の外側に露出している。この構成により、第二バルブ１８は、第二吐水管１３の内側において回転することが可能であり、第二バルブ１８が回転することによって第二吐水管１３が開閉する。
【００２４】
以上のとおり、多様式蛇口１が構成されている。
【００２５】
次に、本実施形態に係る多様式蛇口１の効果を作用と共に説明する。図４及び図５は、多様式蛇口１の断面であって、各バルブ１０，１８の動作が示されている。図４は、第一バルブ１０が開くと共に、第二バルブ１８が閉じた状態が示され、図５は、第二バルブ１８が開くと共に、第一バルブ１０が閉じた状態が示されている。
【００２６】
図１において、第二バルブ操作部２０を手動で操作し、第二バルブ本体部１９が第二バルブ操作部２０と共に回転することで、第二バルブ１８が閉じられる。また、図３において、第一バルブ操作部１２が手動で右側方に向けて引かれ、第一バルブ本体部１１が第一バルブ操作部１２と共に右側方にスライドすることで、第一バルブ１０が開く。図４に示されているとおり、第一バルブ１０が開いた状態では、第一吐水管７は、第一バルブ本体部１１によって流路が塞がれていないため、開放されている。一方で、第二バルブ１８が閉じた状態では、第二吐水管１３は、第二バルブ本体部１９によって流路が塞がれているため、閉塞している。この状態において、供給された水が、着脱部３の漏斗管４を経て給水管２に至ると、第二吐水管１３には流れず、第一吐水管７を流れて第一吐水口８から吐出する。
【００２７】
図１において、第二バルブ操作部２０を手動で操作し、第二バルブ本体部１９が第二バルブ操作部２０と共に回転することで、第二バルブ１８が開く。また、図３において、第一バルブ操作部１２が手動で左側方に向けて押され、第一バルブ本体部１１が第一バルブ操作部１２と共に左側方にスライドすることで、第一バルブ１０が閉じる。図５に示されているとおり、第二バルブ１８が開いた状態では、第二吐水管１３は、第二バルブ本体部１９によって流路が塞がれていないため、開放されている。一方で、第一バルブ１０が閉じた状態では、第一吐水管７は、第一バルブ本体部１１によって流路が塞がれているため、閉塞している。この状態において、供給された水が、着脱部３の漏斗管４を経て給水管２に至ると、第一吐水管７には流れず、両方の第二吐水管分流部１５を流れて各第二吐水口１６から吐出する。
【００２８】
以上のとおり、利用者は、用途に応じて、吐水方向（水流）を、第一吐水口８又は第二吐水口１６から選択することができる。すなわち、第一吐水管７を経た水は、下方に吐出されるため、利用者が手等を洗う際に使用できる。一方で、第二吐水管１３を経た水は、上方に吐出されるため、利用者が眼や鼻を洗浄する際に使用でき、利用者の業務上の疲労回復の効果がある。利用者は、手洗い等に適した吐水方向を選択して手洗い等をすることができるため、多様式蛇口１は、飛沫物による影響を抑止して衛生と安全に貢献できる。
【００２９】
また、本実施形態に係る多様式蛇口１は、第一バルブ１０と第二バルブ１８の構成が異なっていることから、第一バルブ１０，第二バルブ１８毎に操作の仕方が異なる。そのため、仮に、第一バルブ１０，第二バルブ１８毎の操作が同じであった場合と比較して、誤操作を防ぐことができる。すなわち、第一吐水管７を開閉させようとする場合、第一バルブ１０に対する操作は、スライドであることから、回転操作を要する第二バルブ１８と明確に区別でき、誤って第二バルブ１８を操作することを抑止できる。同様に、第二吐水管１３を開閉させようとする場合、第二バルブ１８に対する操作は、回転であることから、スライド操作を要する第一バルブ１０と明確に区別でき、誤って第一バルブ１０を操作することを抑止できる。
【００３０】
本実施形態では、第二吐水管１３の第二吐水管分流部１５は、左右一対で構成され、利用者の両眼の間隔と同程度に離れているため、利用者は、両眼を同時に洗浄することができる。
【００３１】
本実施形態では、給水管２おける上流側に、既設の止水栓に着脱される着脱部３が形成されている。すなわち、着脱部３が、既設の止水栓に取り付けられることで、既存の止水栓を利用して本考案を実現することができる。また、着脱部３は、調節手段５を有し、この調節手段５は、環状であると共に、ネジ６が、四方から中心に向けられた状態で配置されている。したがって、対向するネジ６同士の間隔を調整することで、様々な口径の止水栓に取り付けることができる。
【００３２】
なお、本考案の他の実施形態では、給水管２の形状は任意であり、例えば、直線状又は曲線状である。他の実施形態では、第一バルブ１０は、左方、下方又は上方にスライドする方式とすることができる。他の実施形態では、第二バルブ１８の第二バルブ操作部２０は、左方、上方又は下方に配置されている。他の実施形態では、第一バルブ１０が、第二バルブ１８と同じ構成（開閉方式）とすることができる。
【００３３】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００３４】
１    多様式蛇口
２    給水管
３    着脱部
４    漏斗管
５    調節手段
６    ネジ
７    第一吐水管
８    第一吐水口
９    スリット
１０  第一バルブ
１１  第一バルブ本体部
１２  第一バルブ操作部
１３  第二吐水管
１４  第二吐水管本体部
１５  第二吐水管分流部
１６  第二吐水口
１６Ａ  噴霧盤
１７  孔
１８  第二バルブ
１９  第二バルブ本体部
２０  第二バルブ操作部
２１  回転軸
【図１】
0003230903.tif 000003
【図２】
0003230903.tif 000004
【図３】
0003230903.tif 000005
【図４】
0003230903.tif 000006
【図５】
0003230903.tif 000007